(57)【要約】【課題】自立可能な形状の商品だけでなく、自立困難な形状の商品についてもフィルムパック式で包装可能な商品陳列用包装具および商品包装体を提供する。【解決手段】台紙４と、樹脂製フィルム５とを備える。台紙４は、本体部４０と、本体部４０の両側縁部に折り曲げ可能に設けられた一対の折曲部４１とを備え、各折曲部４１は、商品２１，２２の側方に配される支持部４４と、支持部４４と反対側に折り曲げられる折り返し部４５とを備える。各支持部４４は、商品２１，２２の一部を係止する係止手段６を備える。係止手段６は、商品２１，２２の一部が係脱可能な係合孔６０であり、係合孔６０を通して商品２１，２２の一部が支持部４４と折り返し部４５との間に突出可能である。【選択図】図６
2013209152.tif 000002
【特許請求の範囲】
【請求項１】
台紙と、樹脂製フィルムとを備え、前記樹脂製フィルムで商品を前記台紙と一体に包装する商品陳列用包装具であって、
前記台紙は、本体部と、前記本体部の両側縁部に折り曲げ可能に設けられた一対の折曲部とを備え、
前記各折曲部は、商品の側方に配される支持部と、前記支持部と反対側に折り曲げられる折り返し部とを備え、
前記各支持部は、商品の一部を係止する係止手段を備える商品陳列用包装具。
【請求項２】
前記係止手段は、商品の一部が係脱可能な係合孔であり、前記係合孔を通して商品の一部が前記支持部と前記折り返し部との間に突出可能である請求項１に記載の商品陳列用包装具。
【請求項３】
前記係止手段は、係止される商品の下端が前記支持部の下縁部よりも上方に位置するよう前記支持部に配置されている請求項１または２に記載の商品陳列用包装具。
【請求項４】
前記係止手段が、前記支持部に上下方向に複数備えられており、かつ、係止される複数の商品の間に所定の間隔が設けられるよう配置されている請求項１〜３のいずれかに記載の商品陳列用包装具。
【請求項５】
前記係合孔は、前記支持部の一部を切り欠くことにより形成される、または、前記支持部の一部を切り込むことにより設けられる舌片を倒伏させることにより形成される請求項２に記載の商品陳列用包装具。
【請求項６】
自立困難な形状の商品を包装対象とする請求項１〜５のいずれかに記載の商品陳列用包装具。
【請求項７】
請求項１〜６のいずれかに記載の商品陳列用包装具に商品が包装されている商品包装体。
【発明の詳細な説明】
【技術分野】
【０００１】
本発明は、商品を店頭などに陳列・展示する際に用いられる商品陳列用包装具、およびこの包装具を用いた商品包装体に関する。
【背景技術】
【０００２】
商品の陳列用包装具としては、いわゆる箱詰め式、商品の形状に合わせた形に成形した透明プラスチック製のカバーを台紙の上に置いた商品の上から被せるブリスターパック式、シュリンクフィルムなどの樹脂性フィルムで商品を包み込むフィルムパック式などが一般的に知られている。
【０００３】
ここで、上記した箱詰め式は、箱内に収納された商品を外部から視認することができないため、店頭陳列時の商品訴求力に乏しいという問題がある。また、ブリスターパック式は、プラスチックカバー内に収納された商品を外部から視認できるものの、保形性のある比較的厚手のプラスチックシートを商品の形状に合うように成形する必要がある。そのため、製造が煩雑となり製造コストが高いという問題がある。また、プラスチックの消費量が多いことから省資源の問題だけでなく、商品を取り出した後のプラスチックカバーの廃棄処理など、環境対策の問題もある。
【０００４】
そのため、最近では、シュリンクフィルムを用いて商品を包装するフィルムパック式が増加している。このフィルムパック式の陳列用包装具としては、両側縁に一対の突設片が設けられ、各突設片をそれぞれ折曲して自立可能とした台紙と、台紙を囲むように配置される筒状のシュリンクフィルムとを備え、シュリンクフィルム内の台紙の表面との間に商品を配置し、シュリンクフィルムを加熱して熱収縮させることで、商品を台紙ごとシュリンクフィルムによって包装するようにしたものが知られている（例えば、特許文献１参照）。
【先行技術文献】
【特許文献】
【０００５】
【特許文献１】実開昭５８−７２９５８号公報
【発明の概要】
【発明が解決しようとする課題】
【０００６】
上記した特許文献１の商品陳列用包装具では、商品が乾電池やスプレー缶などの、底面がある程度平坦で自力で静止した状態で立っていることができる自立可能な形状のものについては包装可能である。しかし、商品の形状が異形で、商品が自力では静止状態で立っていることができない自立困難な形状を有しているものである場合には、商品をシュリンクフィルムで包装する際に、商品を台紙に対して所定位置に直立姿勢で保持できない。そのため、シュリンクフィルムで包装する際に、台紙に対する商品の位置がずれてしまい、商品が位置ずれしたまま包装してしまうと、包装後の商品の見栄えが悪くなる。よって、特許文献１の商品陳列用包装具では、自立できない形状の商品を包装できないという問題がある。
【０００７】
本発明は、上記した問題に着目してなされたものであり、自立可能な形状の商品だけでなく、自立困難な形状の商品についてもフィルムパック式で包装可能な商品陳列用包装具およびこの包装具を用いた商品包装体を提供することを目的とする。
【課題を解決するための手段】
【０００８】
本発明の上記目的は、台紙と、樹脂製フィルムとを備え、前記樹脂製フィルムで商品を前記台紙と一体に包装する商品陳列用包装具であって、前記台紙は、本体部と、前記本体部の両側縁部に折り曲げ可能に設けられた一対の折曲部とを備え、前記各折曲部は、商品の側方に配される支持部と、前記支持部と反対側に折り曲げられる折り返し部とを備え、前記各支持部は、商品の一部を係止する係止手段を備える商品陳列用包装具により達成される。
【０００９】
本発明の好ましい実施態様においては、前記係止手段は、商品の一部が係脱可能な係合孔であり、前記係合孔を通して商品の一部が前記支持部と前記折り返し部との間に突出可能であることを特徴としている。
【００１０】
本発明のさらに好ましい実施態様においては、前記係止手段は、係止される商品の下端が前記支持部の下縁部よりも上方に位置するよう前記支持部に配置されていることを特徴としている。
【００１１】
本発明のさらに好ましい実施態様においては、前記係止手段が、前記支持部に上下方向に複数備えられており、かつ、係止される複数の商品の間に所定の間隔が設けられるよう配置されていることを特徴としている。
【００１２】
本発明のさらに好ましい実施態様においては、前記係合孔は、前記支持部の一部を切り欠くことにより形成される、または、前記支持部の一部を切り込むことにより設けられる舌片を倒伏させることにより形成されることを特徴としている。
【００１３】
本発明の他のさらに好ましい実施態様においては、自立困難な形状の商品を包装対象とすることを特徴としている。
【００１４】
また、本発明の上記目的は、上記構成の商品陳列用包装具に商品が包装されている商品包装体によっても達成される。
【発明の効果】
【００１５】
本発明によれば、自立可能な形状の商品だけでなく、自立困難な形状の商品についてもフィルムパック式で包装することができる。
【図面の簡単な説明】
【００１６】
【図１】本発明の一実施形態に係る商品包装体の斜視図である。
【図２】図１の正面図である。
【図３】図１の平面図である。
【図４】商品陳列用包装具の分解斜視図である。
【図５】台紙の展開図である。
【図６】薬液供給器の分解正面図である。
【発明を実施するための形態】
【００１７】
図１〜図３には、本発明の一実施形態である商品包装体１の外観が示されている。商品包装体１は、商品２を、本発明に係る商品陳列用包装具３で包装した状態のもので、これを店頭などに陳列することで、包装された商品２を展示することが可能なものである。
【００１８】
商品２としては、図示例では、水洗トイレの貯水タンク上部の手洗い用給水受皿に設置されて使用される薬液供給器２０が例示されているが、商品２としては、何もこれに限られるものではなく、例えば、日用雑貨品（洗浄剤、芳香剤、消臭剤、防虫剤、衛生用品、化粧品他）、玩具、家電製品、食品、飲料、医薬（部外）品など、種々のものを適用することができる。薬液供給器２０は、図６に示されているように、芳香、消臭、便器の洗浄のための薬液を収容する薬液容器２１と、薬液容器２１を支持するカップ状の支持体２２とを備えている。薬液容器２１および支持体２２は、ともに平面視が横長の略楕円形状に形成されており、横方向（図６で左右方向）の端部２１Ａ，２２Ａが外側へ大きく張り出した形状となっている。この薬液供給器２０は、使用時には、支持体２２に薬液容器２１がセットされた状態で使用されるが、店頭などの陳列時には、これらが別々の状態で包装されている必要があるため、本実施形態では、薬液容器２１と支持体２２とが上下２段に分けられた状態で商品陳列用包装具３に包装されている。
【００１９】
下段の支持体２２は、底面に前記手洗い用給水受皿の排水口に挿入される脚部２３が設けられていて、そのために、自力では台上などに静止した状態で立っていることができない自立困難な形状を有している。よって、従来からある商品陳列用包装具では、包装時に、台紙に対して所定位置に直立姿勢で保持することが難しいため、包装するのが困難である。また、上段の薬液容器２１は、支持体２２の上方に包装されるので、包装するのが困難である。このような自力では台紙の所定位置に保持することが困難な商品２を、本発明に係る商品陳列用包装具３では好適に包装することが可能である。
【００２０】
なお、本実施形態では、薬液供給器２０を構成する薬液容器２１、支持体２２がそれぞれ別の商品２として上下に分けられて包装されているが、同じ商品２が上下方向に複数包装されていてもよく、また、１つの商品２だけが商品陳列用包装具３に包装されるような構成でも構わない。また、本実施形態では、商品２は、自力では台紙の所定位置に直立姿勢で保持することが難しい自立困難な形状となっているが、商品２の形状は何もこれに限られるものではなく、底面がある程度平坦で自力で静止した状態で立っていることができる自立可能な形状のものであっても構わない。また、商品２の平面視形状は、横長形状になっているが、何もこれに限られるものではなく、種々の形状であっても構わない。
【００２１】
本発明に係る商品陳列用包装具３は、図１〜図５に示すように、商品２を支持可能な台紙４と、商品２および台紙４を一体に包装する透明な筒状の樹脂製フィルム５とを備えている。台紙４は、長方形状の本体部４０と、本体部４０の対向する両側縁部に一体に設けられた一対の折曲部４１と、本体部４０の上縁部に一体に設けられたヘッダ部４２とを備えている。一対の折曲部４１は、本体部４０の両側縁部に沿う折り曲げ線４３によって本体部４０の表面側へ折り曲げられており、商品２は、本体部４０の表面側に両折曲部４１により支持されている。なお、図５は、両折曲部４１を展開した状態の台紙４を示している。また、台紙４の表面側とは、後述するように、商品２の広告・宣伝のために、商品名や商品アピ−ルの図案などが印刷される側の面である。
【００２２】
本体部４０は、その横幅ｗ１が商品２の横幅Ｗ（本実施形態では薬液容器２１の横幅Ｗ１および支持体２２の横幅Ｗ２、図６に示す）よりも小さく、また、長さｌが商品２の高さｈ（本実施形態では薬液容器２１の高さｈ１および支持体２２の高さｈ２を合わせた高さｈ１＋ｈ２、図６に示す）よりも十分大きくなるように形成されている。一対の折曲部４１は、折り曲げ時、商品２の側方に配される支持部４４と、折り曲げ線４６によって支持部４４とは反対側に折り曲げられる折り返し部４５とを備えている。支持部４４および折り返し部４５は、その横幅ｗ２がほぼ同じ大きさに形成されている。
【００２３】
各支持部４４には、同じ高さ位置に、各支持部４４の間に挟まれた商品２の一部が係脱可能な係合孔６０が対になって形成されている。この一対の係合孔６０は、商品２の一部を係止して商品２を台紙４に固定する係止手段６を構成しており、本実施形態では、外側へ大きく張り出す商品２の横方向（図６で左右方向）の端部２２Ａ，２２Ｂが各係合孔６０に挿入されて各係合孔６０の下縁部６１上に載置されることで、商品２が台紙４の所定位置に直立姿勢で保持される。また、係合孔６０を通して商品２の一部（横方向の端部２２Ａ，２２Ｂ）が支持部４４を突き抜けて折り返し部４５に突き当たることで、支持部４４と折り返し部４５との間に隙間６２が形成され、商品２の包装時、各折曲部４１は、支持部４４と折り返し部４５とで略Ｖ字状になっている。
【００２４】
係合孔６０は、包装される商品２の数に応じて各支持部４４に１つまたは複数形成され、本実施形態では、各支持部４４に２つの係合孔６０Ａ，６０Ｂが上下方向に所定の間隔をあけて配置されている。各係合孔６０（６０Ａ，６０Ｂ）は、本実施形態では、支持部４４を所定形状に切り欠くことにより形成されているが、支持部４４に所定形状の切り込みを設け、これにより形成される舌片を倒伏させることにより係合孔６０（６０Ａ，６０Ｂ）を形成するようにしてもよい。また、各係合孔６０（６０Ａ，６０Ｂ）は、それぞれ係止される商品２の一部（横方向の端部２２Ａ，２２Ｂ）の外形に応じた形状に形成されるのが好ましい。これにより、商品２の一部（横方向の端部２２Ａ，２２Ｂ）が係合孔６０（６０Ａ，６０Ｂ）に挿入・係止されやすくなるため、商品２をより安定した状態で台紙４に保持することができる。
【００２５】
各支持部４４の最下段の係合孔６０Ｂ（各支持部４４に係合孔が１つしか設けられていない場合には１つの係合孔６０）は、当該係合孔６０Ｂに係止される商品２の下端（本実施形態では、支持体２２の脚部２３の下端）が支持部４４の下縁部４４Ａよりも上方に位置するように、支持部４４に配置されている。これにより、最下段の商品２は宙に浮いた状態で台紙４に保持され、最下段の商品２の下方に下部空間Ａ１が形成されるため、商品２が商品陳列用包装具３で包装された状態の商品包装体１を台上などに載置した際に、最下段の商品２が台などと接触して壊れたり傷ついたりすることを防止できる。この下部空間Ａ１の高さＨ１、つまり、最下段の商品２の下端と支持部４４の下縁部４４Ａとの間隔Ｈ１は、３ｍｍ以上であることが好ましい。
【００２６】
また、係合孔６０（６０Ａ，６０Ｂ）が支持部４４の上下方向に複数形成され、複数の商品２が包装される場合には、各係合孔６０（６０Ａ，６０Ｂ）は、係止される複数の商品２の間に所定の間隔Ｌが設けられるよう配置されることが好ましい。具体的には、包装される各商品２の正面視における全体の姿・形が明確に視認できる程度、上下に隣接する商品２が間隔Ｌをあけて配置されるのが好ましく、上記間隔Ｌは、５ｍｍ以上であることが好ましい。これにより、包装後の商品２の見栄えをよくすることができ、商品訴求力を向上できる。
【００２７】
さらに、各支持部４４の最上段の係合孔６０Ａ（各支持部４４に係合孔が１つしか設けられていない場合には１つの係合孔６０）は、当該係合孔６０Ａに係止される商品２の上端（本実施形態では、薬液容器２１の上端）が支持部４４の上縁部４４Ｂよりも下方に位置するように、支持部４４に配置されるのが好ましい。これにより、最上段の商品２の上方にも上部空間Ａ２が形成されるため、最上段の商品２が容易に何かと接触して壊れたり傷ついたりすることを防止できる。この上部空間Ａ２の高さＨ２、つまり、最上段の商品２の上端と支持部４４の上縁部４４Ｂとの間隔Ｈ２は、５ｍｍ以上であることが好ましい。
【００２８】
ヘッダ部４２の表面には、商品名や商品アピ−ルの図案などが印刷されており、広告・宣伝効果の向上が図られている。ヘッダ部４２の上縁部側の幅中央位置には、吊り下げ用の鉤部材（図示せず）を引っ掛けることが可能な円形状の吊下孔４７が形成されている。この吊下孔４７に陳列用のパネル（図示せず）に設けられた前記鉤部材を引っ掛ければ、商品包装体１を吊り下げ状態で陳列することができる。
【００２９】
上記構成の台紙４は、後述するように、樹脂製フィルム５による包装時に両折曲部４１が折り曲げられるため、可撓性を有しているとともに、ある程度の強度を備え、折れ曲がりに強い耐折れ性を有していることが好ましく、例えば、紙器用板紙（白板紙、黄ボール、チップボール、色ボール）、プラスチック（ポリエチレン、ポリプロピレン、ポリエステル、ポリ塩化ビニル）からなる板などにより形成される。なお、台紙４の強度としては、紙器用板紙では、目付けが２３０ｇ/ｍ２〜５５０ｇ/ｍ２程度、プラスチックからなる板では、厚みが０．２５ｍｍ〜０．５ｍｍ程度のものが適当である。
【００３０】
樹脂製フィルム５は、台紙４の表面側に商品２が保持された状態で、これらを一体に囲繞することにより、商品２を包装して保護するものである。この樹脂製フィルム５としては、例えば、熱収縮性を有するシュリンクフィルムが好適に用いられるが、ラップフィルムなどその他の樹脂製フィルムであっても構わない。樹脂製フィルム５には、長手方向に直線状のミシン目（図示せず）を入れることができ、これにより、ミシン目に沿って樹脂製フィルム５を容易に分断可能とすることもできる。
【００３１】
上記構成の商品陳列用包装具３を用いて商品２を包装するためには、まず、台紙４の両支持部４４を本体部４０の表面側に折り曲げる（谷折り）とともに、両折り返し部４５を支持部４４とは反対側に折り曲げて（山折り）、台紙４を自立可能にする。そして、両支持部４４の係合孔６０に包装する商品２の一部をそれぞれ係止させることで、商品２を台紙４の所定位置に保持する。そして、台紙４を囲むようにしてシュリンクフィルムなどの筒状の樹脂製フィルム５を配置し、樹脂製フィルム５を加熱して熱収縮させるなどして、商品２を台紙４ごと樹脂製フィルム５によって包装することで、商品包装体１が得られる。
【００３２】
上記構成の商品陳列用包装具３および商品包装体１によると、商品２の一部が両支持部４４の係合孔６０に係止されることで、商品２が台紙４に対して所定位置に直立姿勢で保持されるので、図示例の薬液供給器２０の支持体２２のような、自立困難な形状を有している商品であっても、これを見栄えよくフィルムパック式で包装することができる。また、係合孔６０を両支持部４４に上下方向に複数設けることで、複数の商品２を上下に並べて包装することができる。また、樹脂製フィルム５による包装時には、両支持部４４が商品２の形状に沿うように折り曲げられるため、商品２の一部が係合孔６０に深く入り込んで商品２が支持部４４に強固に係止される。よって、商品２を台紙４にしっかりと固定することができる。
【００３３】
また、商品２を係合孔６０で係止することで、両支持部４４（台紙４）が商品２の自重により押し下げられる。これにより、商品包装体１を台上などに載置して陳列する際には、商品包装体１が安定した状態で自立し、商品包装体１が商品２の重みで前方に傾くことを防止できる。また、商品２の一部が係合孔６０を介して支持部４４を突き抜けて、支持部４４と折り返し部４５との間に隙間６２を形成することで、樹脂製フィルム５による包装時には、折り返し部４５が支持部４４に対して拡開して略Ｖ字状をなす。よって、略Ｖ字状に開いた折曲部４１が商品包装体１をより安定した状態で自立させる結果、商品包装体１が商品２の重みで前方に傾くことを防止できる。
【００３４】
また、上記したように、樹脂製フィルム５による包装時に、商品２の一部が折り返し部４５に突き当たって、折り返し部４５を支持部４４に対して略Ｖ字状に拡開させるので、樹脂製フィルム５を台紙４および商品２にきつく巻き付けて、商品２が台紙４からずれ動いたり脱落したりすることなくしっかりと包装することができる。つまり、樹脂製フィルム５を台紙４および商品２に対してゆるく巻き付けたのでは、商品２が台紙４よりずれ動いたり脱落しやすくなるので、これを防止するためには、樹脂製フィルム５を台紙４および商品２に対してきつく巻き付ける必要がある。ここで、台紙４が折り返し部４５を備えることなく、支持部４４のみを備えた構成であると、樹脂製フィルム５を台紙４および商品２に対してきつく巻き付けた場合に、以下のような問題が生じる。まず、筒状（例えば円筒状）の樹脂製フィルム５により台紙４を囲繞すると、樹脂製フィルム５と接する支持部４４が樹脂製フィルム５により折り曲げられるが、樹脂製フィルム５による巻き付け力を大きくすればするほど支持部４４が強く折り曲げられて過度に変形してしまい、その結果、支持部４４が破断したり、特に係合孔６０間の幅が狭く強度が弱くなっている部分が破断の起点となるおそれがある。また、支持部４４の係合孔６０から突出する商品２の一部が樹脂製フィルム５と直接当接するため、樹脂製フィルム５による巻き付け力を大きくすると、商品２の一部と当接する部分において樹脂製フィルム５が破断するおそれもある。よって、台紙４が折り返し部４５を備えることなく、支持部４４のみを備えた構成であると、樹脂製フィルム５を台紙４および商品２にきつく巻き付けることが困難である。これに対して、上記構成の台紙４のように、折り返し部４５を備えていると、樹脂製フィルム５を台紙４および商品２に対してきつく巻き付けた場合、樹脂製フィルム５と接する外側の折り返し部４５は樹脂製フィルム５により強く折り曲げられるが、内側の支持部４４は、外側の折り返し部４５が盾となって、商品２の形状に沿うように折り曲げられるものの樹脂製フィルム５により強く折り曲げられるのが抑制される。よって、支持部４４が破断したりすることを防止できるうえ、支持部４４の係合孔６０から突出する商品２の一部は、折り返し部４５に突き当たって樹脂製フィルム５に直接当接しないので、商品２の一部により樹脂製フィルム５が破断することも防止できる。このように、本実施形態の台紙４では、折り返し部４５を備えることにより、樹脂製フィルム５を台紙４および商品２にきつく巻き付けることが可能であり、これにより、商品２が台紙４からずれ動いたり脱落したりすることなくしっかりと包装することが可能になっている。
【００３５】
また、最下段の商品（商品が１つしか包装されない場合にはその１つの商品）２は、当該商品２の下端が支持部４４の下縁部４４Ａよりも上方に位置するように包装されて当該商品２の下方に下部空間Ａ１が形成されているので、当該商品２が容易に何かと接触して壊れたり傷ついたりすることを防止できる。また、最上段の商品（商品が１つしか包装されない場合にはその１つの商品２）についても、当該商品２の上端が支持部４４の上縁部４４Ｂよりも下方に位置するように包装されて当該商品２の上方に上部空間Ａ１が形成されているので、当該商品２が容易に何かと接触して壊れたり傷ついたりすることも防止できる。
【００３６】
また、各商品２は、各商品２の正面視における全体の姿・形が明確に視認できる程度、上下に隣接する商品２との間に間隔Ｌをあけて配置されるので、商品２を見栄えをよく包装することができ、商品訴求力を向上できる。
【００３７】
また、両折り返し部４５の表面は、台紙４の展開時には、ヘッダ部４２の表面と同じ台紙４の表面側となるので、両折り返し部４５の表面も広告・宣伝もしくは商品説明欄として有効に使用することができ、これにより、広告・宣伝のための表示面積が増加するので、広告・宣伝性の高いものとすることができる。なお、台紙４の本体部４０の表裏面や両支持部４４の表面、ヘッダ部４２の裏面にも広告・宣伝もしくは商品説明のための表示を設けることもできる。さらに、両支持部４４の裏面や両折り返し部４５の裏面にも、広告・宣伝もしくは商品説明用の表示を設けることができる。この両支持部４４および両折り返し部４５の裏面は、商品２の包装時は、互いに重ね合わされているため外部から視認することができないが、開封時には折曲部４１を展開することにより視認可能になる。よって、商品２の細かい使用説明など、商品２の店頭陳列時には特に購買者に見せる必要がない情報をここに表示することで、その他の表示領域を商品２の広告・宣伝のために有効利用できる結果、さらに広告・宣伝のための表示面積を拡大できる。
【００３８】
以上、本発明の一実施形態について説明したが、本発明の具体的な態様は、上記実施形態に限定されるものではない。例えば、上記実施形態では、上下方向に複数（２つ）並べられる商品２を個別に複数（２つ）の樹脂製フィルム５で包装しているが、これらを１つの樹脂製フィルムでまとめて包装するようにしてもよい。また、上記実施形態では、商品２の一部を係止する係止手段６が係合孔６０により構成されているが、各支持部４４にフラップを設け、フラップ上に商品２の一部を載置して商品２を台紙４に対して係止するように構成してもよい。
【符号の説明】
【００３９】
１    商品包装体
２    商品
３    商品陳列用包装具
４    台紙
５    樹脂製フィルム
６    係止手段
４０  本体部
４１  折曲部
４４  支持部
４５  折り返し部
６０  係合孔
【図１】
2013209152.tif 000003
【図２】
2013209152.tif 000004
【図３】
2013209152.tif 000005
【図４】
2013209152.tif 000006
【図５】
2013209152.tif 000007
【図６】
2013209152.tif 000008